(57)【要約】【課題】音切れの原因となるネゴシエーション処理自体をなるべく行わないようにして、音切れを回避することができる送・受信装置を提供する。【解決手段】送信装置よりネットワークで伝送された音声データを一度バッファ３６０にため、別途受信装置１１０で作成したクロック信号に基づいて読み出しを行なうことによりフローコントロールを行なう受信装置であって、以前接続した機器の情報を保存するための不揮発性メモリ３１２を備えており、接続の際にその不揮発性メモリ３１２に保存した内容を基に以前接続を行なったかどうか判断し、以前接続したことが判明した場合接続先装置との間でフローコントロールを行なうためのコマンドのやり取りを行なわず不揮発性メモリ３１１および３１２に保存してある内容を基にフローコントロールを行なうための設定を行なう。【選択図】図４
2008294557.tif 000002
【特許請求の範囲】
【請求項１】
送信装置よりネットワークで伝送された音声データを一度バッファにため、別途受信装置で作成したクロック信号に基づいて読み出しを行なうことによりフローコントロールを行なう受信装置であって、以前接続した機器の情報を保存するための不揮発性メモリを備えており、接続の際にその不揮発性メモリに保存した内容を基に以前接続を行なったかどうか判断し、以前接続したことが判明した場合には、接続先装置との間でフローコントロールを行なうためのコマンドのやり取りを行なわず不揮発性メモリに保存してある内容を基に、フローコントロールを行なうための設定を行なうことを特徴とする受信装置。
【請求項２】
受信装置から送信された制御信号を基に送信するデータの伝送レートを変更することによりフローコントロールを行う送信装置であって、以前接続した機器の情報を保存するための不揮発性メモリを備えており、接続の際にその不揮発性メモリに保存した内容を基に以前接続を行なったかどうか判断し、以前接続したことが判明した場合には、フローコントロールを行なうためのコマンドのやり取りを行なわずに、不揮発性メモリ保存内容を基にフローコントロール設定を行なうことを特徴とする送信装置。
【請求項３】
前記受信装置は、起動後、前記送信装置へ接続コマンドを送信し、そのレスポンスを受信した際に前記不揮発性メモリに保存してある情報と比較を行なうことを特徴とする請求項１記載の受信装置。
【請求項４】
前記受信装置は、前記比較を行なった結果、以前接続したことが判明した場合に、前記不揮発性メモリに記憶してある送信装置の設定情報を基にフローコントロール設定を行なうことを特徴とする請求項１記載の受信装置。
【請求項５】
前記受信装置は、前記比較を行なった結果、以前接続したことがないことが判明した場合、フローコントロール能力確認コマンドを発行し、そのレスポンスを基に送信側にフローコントロールを行なう能力があるか確認し、能力のない場合には、フローコントロールをしないよう設定を行なうことを特徴とする請求項１記載の受信装置。
【請求項６】
前記受信装置は、前記確認を行なった結果、能力のあることが判明した場合、フローコントロール設定コマンドを送信し、その後前記不揮発性メモリに送信装置の設定情報を記録することを特徴とする請求項１記載の受信装置。
【請求項７】
前記送信装置は、受信装置からの接続コマンド受信後、接続コマンドレスポンスを発行し、前記不揮発性メモリ保存の既接続情報と比較することを特徴とする請求項２記載の送信装置。
【請求項８】
前記送信装置は、前記受信装置と前記不揮発性メモリ保存の既接続情報と比較し、以前接続したことのあるノードの場合、既接続情報を基にフローコントロールの設定をした後、データ再生を行なうことを特徴とする請求項２記載の送信装置。
【請求項９】
前記送信装置は、前記受信装置と前記不揮発性メモリ保存の既接続情報と比較し、以前接続したことのないノードの場合、フローコントロール無しでフローコントロール設定を行うとともに接続情報を前記不揮発性メモリに記録することを特徴とする請求項２記載の送信装置。
【請求項１０】
前記送信装置は、前記受信装置から発行されたフローコントロール能力確認コマンドを受信したとき、自分の設定にあわせたフローコントロール能力確認コマンドレスポンスを発行することを特徴とする請求項２記載の送信装置。
【請求項１１】
前記送信装置は、前記受信装置から発行されたフローコントロール設定コマンドを受信したとき、コマンド内容にあわせフローコントロール設定を行い、フローコントロール設定コマンドレスポンス発行を行なった後、前記不揮発性メモリに前記受信装置の内容を記録することを特徴とする請求項２記載の送信装置。
【発明の詳細な説明】
【技術分野】
【０００１】
本発明は、オーディオデータのデジタル伝送に用いられるフローコントロールにおいて、ネゴシエーション処理が伝送ストリーム状態と非同期に行われることに起因する音切れを防止する送・受信装置に関する。
【背景技術】
【０００２】
フローコントロールは、送信装置から伝送されたオーディオデータを受信装置に内蔵されているバッファにため、受信装置にて用意したクロックを用いてバッファから出力し、Ｄ／Ａ変換を行うが、フローコントロールを行うには、送信装置、受信装置ともにフローコントロールに対応していなくてはならず、受信装置は接続後、送信装置がフローコントロールに対応している機器か確認し、送信装置、受信装置ともにフローコントロールに対応している場合のみ、フローコントロール処理を行わなくてはならず、事前に送信装置に対し確認用のコマンドを発行して確認しなければならない。
しかし、送信装置のフローコントロール対応確認後、受信装置のバッファの設定を行うため、オーディオデータ再生開始直後に音切れが生じてしまう。
これを回避するための従来技術として、送信処理を停止するものが知られている。
従来技術として、受信側からのポーズ信号により送信側の制御を行なうものがある。この従来技術について以下に示す例を基に説明する。
【特許文献１】特開２００２−３４４５６１号公報（特に、［０００９］〜［００１４］、［００１８］〜［００２３］、図６〜図８）
【０００３】
図１０は受信側からのポーズ信号により送信側の制御を行なう処理の概要を示す。送信装置１００と受信装置１１０の間で、まず双方起動をし、受信装置１１０から送信装置１００へ接続コマンドを送り（シーケンスＳ４２１）、送信装置１００から受信装置１１０へ接続コマンドレスポンスが送られ（シーケンスＳ４２２）て接続処理がなされると、送信装置１００にてポーズ状態とし（シーケンスＳ４０１）、送信装置１００から受信装置１１０へフローコントロールなしでオーディオデータを送り（シーケンスＳ４２３）、受信装置１１０から送信装置１００へフローコントロール能力確認コマンド（シーケンスＳ４２４）を送り、送信装置１００から受信装置１１０へフローコントロール能力確認コマンドレスポンス（シーケンスＳ４２５）を送る。このようにして、フローコントロール能力確認コマンド（シーケンスＳ４２４，Ｓ４２５）、およびフローコントロール設定コマンド処理（シーケンスＳ４２６，Ｓ４２７）終了後、音のオーディオデータの送受信が行われ（シーケンスＳ４２８）、受信装置１１０にて受信バッファ書き込み停止後（シーケンスＳ４１１）、受信バッファクリア処理（シーケンスＳ４１２）が終了し、受信装置１１０から送られたポーズ解除コマンドの受信（シーケンスＳ４２９）が完了し、ポーズ解除（シーケンスＳ４０２）するまでの間、ポーズ状態にするものである。
【発明の開示】
【発明が解決しようとする課題】
【０００４】
しかしながら、以上に述べた従来方法では、以下のような欠点があった。
従来技術では、起動後必ず送信側装置のフローコントロール可否確認を含むネゴシエーション処理を行うため、ネゴシエーションに用いる情報のやり取りによるネットワーク負荷が増大すること（図１０のシーケンスＳ４２４〜Ｓ４２７およびＳ４２９）、また音切れは防止できるが接続処理後、バッファ設定終了までは送信装置で再生できないこと、つまり、図１０のシーケンスＳ４０１からＳ４０２までの間が再生できず装置起動から再生までに時間がかかるという欠点があった。
本発明はこのような問題点に鑑みてなされたものであり、場合に応じてネゴシエーション処理自体を省略することにより、ネットワーク負荷を増大させることなく、また再生までに時間がかかることなく、音切れを防止できる送・受信装置を提供することを目的とする。
【課題を解決するための手段】
【０００５】
以上のように、本発明の主たる技術思想は、以前接続したことのある送信装置と受信装置間では、音切れの原因となるネゴシエーション処理自体を行わず、送信装置および受信装置は接続処理後すぐに、保存しておいた以前の接続情報を用いてフローコントロールモードの設定を行うことにより、ネゴシエーション処理に起因する音切れを回避することにある。
そのため、請求項１記載の受信装置の発明は、送信装置よりネットワークで伝送された音声データを一度バッファにため、別途受信装置で作成したクロック信号に基づいて読み出しを行なうことによりフローコントロールを行なう受信装置であって、以前接続した機器の情報を保存するための不揮発性メモリを備えており、接続の際にその不揮発性メモリに保存した内容を基に以前接続を行なったかどうか判断し、以前接続したことが判明した場合には、接続先装置との間でフローコントロールを行なうためのコマンドのやり取りを行なわず不揮発性メモリに保存してある内容を基に、フローコントロールを行なうための設定を行なうことを特徴とする。
請求項２記載の送信装置の発明は、受信装置から送信された制御信号を基に送信するデータの伝送レートを変更することによりフローコントロールを行う送信装置であって、以前接続した機器の情報を保存するための不揮発性メモリを備えており、接続の際にその不揮発性メモリに保存した内容を基に以前接続を行なったかどうか判断し、以前接続したことが判明した場合には、フローコントロールを行なうためのコマンドのやり取りを行なわずに、不揮発性メモリ保存内容を基にフローコントロール設定を行なうことを特徴とする。
【０００６】
請求項３記載の発明は、請求項１記載の受信装置において、前記受信装置が、起動後、前記送信装置へ接続コマンドを送信し、そのレスポンスを受信した際に前記不揮発性メモリに保存してある情報と比較を行なうことを特徴とする。
請求項４記載の発明は、請求項１記載の受信装置において、前記受信装置が、前記比較を行なった結果、以前接続したことが判明した場合に、前記不揮発性メモリに記憶してある送信装置の設定情報を基にフローコントロール設定を行なうことを特徴とする。
請求項５記載の発明は、請求項１記載の受信装置において、前記受信装置が、前記比較を行なった結果、以前接続したことがないことが判明した場合、フローコントロール能力確認コマンドを発行し、そのレスポンスを基に送信側にフローコントロールを行なう能力があるか確認し、能力のない場合には、フローコントロールをしないよう設定を行なうことを特徴とする。
請求項６記載の発明は、請求項１記載の受信装置において、前記受信装置が、前記確認を行なった結果、能力のあることが判明した場合、フローコントロール設定コマンドを送信し、その後前記不揮発性メモリに送信装置の設定情報を記録することを特徴とする。
【０００７】
請求項７記載の発明は、請求項２記載の送信装置において、前記送信装置が、受信装置からの接続コマンド受信後、接続コマンドレスポンスを発行し、前記不揮発性メモリ保存の既接続情報と比較することを特徴とする。
請求項８記載の発明は、請求項２記載の送信装置において、前記送信装置が、前記受信装置と前記不揮発性メモリ保存の既接続情報と比較し、以前接続したことのあるノードの場合、既接続情報を基にフローコントロールの設定をした後、データ再生を行なうことを特徴とする。
請求項９記載の発明は、請求項２記載の送信装置において、前記送信装置が、前記受信装置と前記不揮発性メモリ保存の既接続情報と比較し、以前接続したことのないノードの場合、フローコントロール無しでフローコントロール設定を行うとともに接続情報を前記不揮発性メモリに記録することを特徴とする。
請求項１０記載の発明は、請求項２記載の送信装置において、前記送信装置が、前記受信装置から発行されたフローコントロール能力確認コマンドを受信したとき、自分の設定にあわせたフローコントロール能力確認コマンドレスポンスを発行することを特徴とする。
請求項１１記載の発明は、請求項２記載の送信装置において、前記送信装置が、前記受信装置から発行されたフローコントロール設定コマンドを受信したとき、コマンド内容にあわせフローコントロール設定を行い、フローコントロール設定コマンドレスポンス発行を行なった後、前記不揮発性メモリに前記受信装置の内容を記録することを特徴とする。
【発明の効果】
【０００８】
以上のように、本発明によれば、以前接続したことのある送信装置と受信装置間では、音切れの原因となるネゴシエーション処理自体を行わず、送信装置および受信装置は接続処理後すぐに、保存しておいた以前の接続情報を用いてフローコントロールモードの設定を行うので、一度接続処理が終了すれば次回接続からはネットワーク負荷の増大や再生までにかかる時間がかからなくなるので、音切れを回避することができるようになる。
【発明を実施するための最良の形態】
【０００９】
以下、本発明の実施の形態として実施例を図１〜図９に基づいて説明する。
【実施例１】
【００１０】
図１は、本発明の実施例であるＩＥＥＥ１３９４オーディオ伝送システムにおける適用例を示したものであり、端末である送信装置と受信装置の構成を示す構成図である。
図１において、１００は送信装置であり、フローコントロール能力を有している。１１０は受信装置であり、フローコントロールをおこなうためのバッファ装置を備えている。また、１２０は受信装置で受信したデータを再生するためのスピーカーである。
【００１１】
図２は、図１における送信装置１００の構成を示すブロック図である。
２００はＤＶＤ再生部である。２３０は１３９４ＩＦであり、ＤＶＤ再生部からのデータをうけ、１３９４パケットに変換後、送信する。
２２０は送信装置１００を制御するためのＣＰＵである。
２１０は不揮発性メモリであり、２１１で示される機器設定情報、２１２で示される既接続情報、２１３で示されるプログラムが格納されている。不揮発メモリはＣＰＵよりアクセスされ、書き換えることが可能である。
機器設定情報２１１には、自身のユニークＩＤ、フローコントロール実施可否情報が格納されている。
既接続情報２１２には接続した機器毎に接続した機器のユニークＩＤおよびフローコントロール実施可否の情報が可能される。これらの情報は接続した機器分格納される。
【００１２】
図３は、送信装置内の不揮発性メモリの情報の状態遷移図である。ただし、プログラムは固定であるため、記述は省略している。
機器出荷後、何も接続されていない状態Ｊ２００１において、受信装置より接続されると、「接続した機器のユニークＩＤ」、および「フローコントロール実施：無」の情報が「既接続情報テーブル」内に登録される（状態Ｊ２００２）。
さらに、フローコントロール設定コマンドを受信すると「既接続情報テーブル」内は、「フローコントロール実施：有」の状態で書き換えられる（状態Ｊ２００３）。
【００１３】
図４は、図１の受信装置１１０の構成を示すブロック図である。
３００は１３９４ＩＦであり、受信した１３９４パケットを音声情報変換し、３６０で示されるバッファへ書き込む。３５０は、Ｄ／Ａコンバータでありバッファからのデータをうけ、音声データとして外部出力する。３３０はクロック発生部であり、バッファ、Ｄ／Ａコンバータへ基準クロックを供給する。
３２０は受信装置１１０を制御するためのＣＰＵである。３１０は不揮発性メモリであり、３１１で示される機器設定情報、３１２で示される既接続情報、３１３で示されるプログラムが格納されている。不揮発メモリはＣＰＵよりアクセスされ、書き換えることが可能である。
機器設定情報３１１には、自身のユニークＩＤ、フローコントロール実施可否情報が格納されている。
既接続情報３１２には接続した機器毎に接続した機器のユニークＩＤおよびフローコントロール実施可否の情報が格納される。これらの情報は接続した機器分格納される。
【００１４】
図５は、受信装置内の不揮発性メモリの情報の状態遷移図である。ただし、プログラムは固定であるため、記述は省略している。
機器出荷後、何も接続されていない状態Ｊ３００１において、送信装置により接続すると、「接続した機器のユニークＩＤ」、および「フローコントロール実施：無」の情報が「既接続情報テーブル」内に登録される（状態Ｊ３００２）。
さらに、フローコントロール設定コマンドを受信すると「既接続情報テーブル」内は、「フローコントロール実施：有」の状態で書き換えられる（状態Ｊ３００３）。
【００１５】
図６は、「既接続情報」を確認するテーブルの構成である。
６４ｂｉｔ長で構成される接続した機器のユニークＩＤそれぞれに対し、以前接続した際にフローコントロールを実施したか否かが「有」、「無」のフラグにて登録されている。例えば、接続した機器のユニークＩＤが１２３４５６７８の機器はフローコントロールの実施が「有」であり、接続した機器のユニークＩＤが１２３４５６７９の機器はフローコントロールの実施が「無」である。
【００１６】
図７は、図１〜図３の構成における装置起動からオーディオデータ再生までの通信シーケンスである。
受信装置１１０は、起動後送信装置１００へ接続コマンドを送信する（シーケンスＳ５２１）。送信装置１００は、接続コマンドを受け、受信装置２へ接続コマンドのレスポンスを送信し（シーケンスＳ５２２）、接続処理を完了する。
受信装置１１０は、送信装置１００からの接続コマンドレスポンスから送信装置１００のユニークＩＤを含む接続先情報を取り出し、受信装置１１０が保存している既接続情報と比較し、送信装置１００のユニークＩＤが既に登録されていないか確認する（ステップＳ５１１、ステップＳ５１２）。
受信装置１１０が保存している既接続情報に含まれるユニークＩＤと送信装置１００の接続先情報に含まれるユニークＩＤが一致している場合（ステップＳ５１２で「はい」）、既接続情報に含まれるフローコントロール能力の情報を基に、フローコントロールの設定を行う（ステップＳ５１５）。
【００１７】
受信装置１１０が保存している既接続情報に含まれるユニークＩＤと送信装置１００の接続先情報に含まれるユニークＩＤが一致していない場合（ステップＳ５１２で「いいえ」）、送信装置１００に対しフローコントロール能力確認コマンドの発行を行い（シーケンスＳ５２３）、送信装置１００がフローコントロール能力を有しているかどうか確認する（シーケンスＳ５１３）。
有している場合、フローコントロール設定を行うよう送信装置１００に対しコマンドを送信する（シーケンスＳ５２５）。
送信装置１００は本コマンドに従い、送信モードをフローコントロールに設定する（シーケンスＳ５０６）。その後、既接続情報に送信装置１００のユニークＩＤおよびフローコントロール実施情報を登録する（シーケンスＳ５１４）。
フローコントロール実施情報は、フローコントロール能力確認コマンドの結果により、送信装置１００がフローコントロールを行なう能力を有していれば「有」で登録し、フローコントロールを行なう能力を有していなければ「無」として登録を行なう。
【００１８】
送信装置１００は、接続コマンドレスポンス送信後（シーケンスＳ５２２）、接続コマンドから受信装置１１０のユニークＩＤを含む接続先情報を取り出し、送信装置１００が保存している既接続情報と比較、接続してきた受信装置１１０と以前フローコントロールをしたかどうかどうかを確認する（シーケンスＳ５０１、Ｓ５０２）。
送信装置１００が保存している既接続情報に含まれるユニークＩＤと受信装置１１０の接続先情報に含まれるユニークＩＤが一致している場合（シーケンスＳ５０２で「はい」）、既接続情報に含まれるフローコントロール実施情報を基に送信装置の送信モードをフローコントロールに設定する（シーケンスＳ５０３）。
送信装置１００が保存している既接続情報に含まれるユニークＩＤと受信装置１１０の接続先情報に含まれるユニークＩＤが一致していない場合（シーケンスＳ５０２で「いいえ」）、送信装置１００は、フローコントロールモードをフローコントロール無で設定し（シーケンスＳ５０４）、既接続情報に受信装置１１０のユニークＩＤおよび「フローコントロール実施：無」として情報の登録を行なう（シーケンスＳ５０５）。
その後のフローコントロール動作の有無は受信装置１１０からのネゴシエーション処理に従う。
【００１９】
送信装置１００は、受信装置１１０からのフローコントロール能力確認コマンドを受信したら、自分自身の不揮発性メモリに記録されている機器設定情報のフローコントロール実施可否情報設定内容を基にフローコントロール能力確認コマンドレスポンスを発行（シーケンスＳ５２４）する。
送信装置１００は、受信装置１１０からのフローコントロール設定コマンドを受信したらフローコントロール設定コマンドレスポンスを発行（シーケンスＳ５２６）した後、既接続情報を「フローコントロール実施：有」として上書きした後（シーケンスＳ５０７）、オーディオデータ送信を開始する（シーケンスＳ５０８）。
【００２０】
次に、送信装置の動作について図８のフローチャートを用いて説明する。
送信装置は、起動（シーケンスＳ１００１）後、接続コマンドを受信するまで待つ（シーケンスＳ１００２）。
接続コマンド受信後、接続コマンドレスポンスを送信し（シーケンスＳ１００３）、接続コマンドに含まれるユニークＩＤが既接続情報に登録されているユニークＩＤの一覧と一致しているか比較する（シーケンスＳ１００４）。比較の結果登録されていれば（シーケンスＳ１００５で「はい」）フローコントロール有で機器設定を行った（シーケンＳ１０１２）後、オーディオデータの送信を開始する（シーケンスＳ１０１５）。
接続コマンドに含まれるユニークＩＤが既接続情報に登録されているユニークＩＤの一覧と一致していない場合（シーケンスＳ１００５で「いいえ」）、一旦フローコントロール無で機器を設定（シーケンスＳ１００６）した後、接続機器のユニーク番号を既接続情報に登録する。このとき、「フローコントロール実施：無」で登録する（シーケンスＳ１００７）。  その後、フローコントロール能力確認コマンドもしくは、フローコントロール設定コマンドの受信を待ち、フローコントロール能力確認コマンドに対してはフローコントロール能力確認コマンドレスポンスを発行する（シーケンスＳ１００８、Ｓ１００９）。フローコントロール設定コマンドを受信したら（シーケンスＳ１０１０）、「フローコントロール実施：有」で機器を設定（シーケンスＳ１０１１）後、既接続情報に登録してある接続先機器のユニークＩＤで決定されるテーブルの「フローコントロール実施フィールド」を「有」にし、上書き登録する（シーケンスＳ１０１３）。その後、フローコントロール設定コマンドレスポンスを発行（シーケンスＳ１０１４）し、オーディオデータの送信を開始する（シーケンスＳ１０１５）。
【００２１】
次に、受信装置動作について図９のフローチャートを用いて説明する。
受信装置は、起動（シーケンスＳ１１０１）後、接続コマンドを接続先機器に対し発行する（シーケンスＳ１１０２）。接続コマンドレスポンスを受信するまで待ち（シーケンスＳ１１０３）、受信したら接続先機器のユニークＩＤが既接続情報に登録されているユニークＩＤを一致しているか比較し（シーケンスＳ１１０４）、一致していれば（シーケンスＳ１１０５で「はい」）、既接続情報に含まれるフローコントロール実施フィールドの値によりフローコントロールの設定を自機器に対し行う（シーケンスＳ１１１２）。
一致していない場合（シーケンスＳ１１０５で「いいえ」）、接続先機器に対しフローコントロール能力確認コマンドを発行し、そのレスポンスを待つ（シーケンスＳ１１０６、Ｓ１１０７）。レスポンスを受信したら、接続先機器にフローコントロール実施能力があるか調べる（シーケンスＳ１１０８）。
接続先機器にフローコントロール実施能力がなければ既接続情報に接続先機器のユニークＩＤおよび「フローコントロール実施：無」で登録を行い（シーケンスＳ１１１１）、自機器を「フローコントロール無」で設定する（シーケンスＳ１１１２）。
接続先機器にフローコントロール実施能力がある場合、フローコントロール設定コマンドを送信し（シーケンスＳ１１０９）、そのレスポンスを待つ（シーケンスＳ１１０９、Ｓ１１１０）。正常にレスポンスを受信したら、既接続情報に接続先機器のユニークＩＤおよび「フローコントロール実施：有」で登録を行い（シーケンスＳ１１１１）、自機器を「フローコントロール有」で設定する（シーケンスＳ１１１２）。
【００２２】
以上のように、本発明によれば、接続先機器のユニークＩＤが既接続情報に登録されているかどうかをまず調べるため、従来技術における課題であったネットワーク負荷の増大、および再生までの時間の増大を発生させることなく、音切れを防止することができる。
また、現状のフローコントロール方式適用時に発生していた再生開始時の音切れを防止することができ、今後高音質デジタルオーディオ再生機器に適用ができる。
【図面の簡単な説明】
【００２３】
【図１】本発明の実施例であるＩＥＥＥ１３９４オーディオ伝送への応用例における端末（送信装置、受信装置）の構成図である。
【図２】送信装置の概要を示す構成図である。
【図３】送信装置における不揮発メモリ状態遷移図である。
【図４】受信装置の概要を示す構成図である。
【図５】受信装置における不揮発メモリ状態遷移図である。
【図６】既接続情報の構成を示す説明図である。
【図７】システム起動時における通信シーケンス図である。
【図８】送信装置の処理フロー図である。
【図９】受信装置の処理フロー図である。
【図１０】従来方式における通信シーケンス図である。
【符号の説明】
【００２４】
１００  送信装置
１１０  受信装置
１２０  スピーカー
２００  ＤＶＤ再生部
２１１  機器設定情報
２１２  既接続情報
２１３  プログラム
２２０  送信装置制御用ＣＰＵ
２３０  １３９４ＩＦ
３００  １３９４ＩＦ
３１１  機器設定情報
３１２  既接続情報
３１３  プログラム
３２０  受信装置制御用ＣＰＵ
３３０  クロック発生部
３５０  Ｄ／Ａコンバータ
３６０  バッファ
【図１】
2008294557.tif 000003
【図２】
2008294557.tif 000004
【図３】
2008294557.tif 000005
【図４】
2008294557.tif 000006
【図５】
2008294557.tif 000007
【図６】
2008294557.tif 000008
【図７】
2008294557.tif 000009
【図８】
2008294557.tif 000010
【図９】
2008294557.tif 000011
【図１０】
2008294557.tif 000012